(57)【要約】【課題】簡易な操作で必要十分な操作ボタン１０８の説明を行うことを可能にする操作説明装置、等を提供する。【解決手段】一または複数の操作ボタン１０８における操作を説明するための説明情報と、当該説明情報を特定するための特定情報と、の対が記録されている記録媒体が装填される装填部と、操作ボタン１０８を識別するための操作部識別情報と、特定情報と、の対応関係を示す対応情報を記憶するメモリ１０４と、判別された操作ボタン１０８を示す操作部識別情報を生成する生成部１０３と、対応情報に基づいて、生成された操作部識別情報に対応する特定情報を検索する制御部１０５と、検索された特定情報に対応する説明情報を記録媒体ＤＫから検出して出力するスピーカ１０６と、を備える。【選択図】図１
2004013571.tif 000002
【特許請求の範囲】
【請求項１】
一または複数の操作部における操作を説明するための説明情報と、当該説明情報を特定するための特定情報と、の対が記録されている記録媒体が装填される装填手段と、
前記操作部を識別するための操作部識別情報と、前記特定情報と、の対応関係を示す対応情報を記憶する記憶手段と、
前記操作部が操作されたか否かを判別し、当該判別された操作部を示す前記操作部識別情報を生成する生成手段と、
前記記憶されている対応情報に基づいて、前記生成された操作部識別情報に対応する前記特定情報を検索する検索手段と、
前記検索された特定情報に対応する前記説明情報を前記記録媒体から検出して出力する出力手段と、
を備えることを特徴とする操作説明装置。
【請求項２】
請求項１に記載の操作説明装置において、
前記説明情報は音を用いて前記操作を説明する音説明情報であると共に、
前記出力手段は、前記検索された特定情報に対応する前記音説明情報を前記記録媒体から検出して放音することを特徴とする操作説明装置。
【請求項３】
請求項１または２に記載の操作説明装置において、
前記説明情報は画像を用いて前記操作を説明する画像説明情報であると共に、前記出力手段は、前記検索された特定情報に対応する前記画像説明情報を前記記録媒体から検出して表示することを特徴とする操作説明装置。
【請求項４】
請求項１から３のいずれか一項に記載の操作説明装置に装填される記録媒体であって、
前記説明情報と、前記特定情報と、の対が、少なくとも前記操作部の数だけ記録されている説明情報記録領域を備えることを特徴とする記録媒体。
【請求項５】
請求項１から４のいずれか一項に記載の操作説明装置において、
前記記録媒体は前記説明情報と前記特定情報との対が記録されていることを特定する特定領域を有し、
前記記録媒体が前記装填手段に装填されると、前記特定領域を読み取って、前記記録媒体が前記説明情報と前記特定情報との対が記録されている記録媒体であるか否かを判定する判定手段を備えることを特徴とする操作説明装置。
【請求項６】
請求項１から５のいずれか一項に記載の操作説明装置において、
操作説明を終了する際に操作される終了操作部をさらに備え、前記説明情報の出力中において、前記終了操作部が操作されたとき、当該説明情報の出力を停止する停止手段を備えることを特徴とする操作説明装置。
【請求項７】
請求項１から６のいずれか一項に記載の操作説明装置において、
前記説明情報の出力が開始されるときに、前記出力手段における出力レベルをあらかじめ設定した出力レベル以上に設定する設定手段を備えることを特徴とする操作説明装置。
【請求項８】
一または複数の操作部のうち、前記操作部が操作されたか否かを判別し、当該判別された操作部を識別するための操作部識別情報を生成する生成工程と、
各前記操作部に対応する前記操作部識別情報と、前記操作部における操作を説明するための説明情報を特定するための特定情報と、の対応関係を示してあらかじめ記憶されている対応情報に基づいて、前記生成された操作部識別情報に対応する前記特定情報を検索する検索工程と、
前記説明情報と、当該説明情報を特定するための前記特定情報と、の対を、前記操作部の数だけ記録している記録媒体から、前記検索された特定情報に対応する前記説明情報を検出して出力する出力工程と、
を備えることを特徴とする操作説明方法。
【請求項９】
請求項８に記載の操作説明方法において、
前記説明情報は音を用いて前記操作を説明する音説明情報であると共に、
前記出力工程においては、前記検索された特定情報に対応する前記音説明情報を前記記録媒体から検出して放音することを特徴とする操作説明方法。
【請求項１０】
請求項８または９に記載の操作説明方法において、
前記説明情報は画像を用いて前記操作を説明する画像説明情報であると共に、
前記出力工程においては、前記検索された特定情報に対応する前記画像説明情報を前記記録媒体から検出して表示することを特徴とする操作説明方法。
【請求項１１】
操作部において実行されるべき操作を説明する操作説明装置に含まれるコンピュータを、
一または複数の前記操作部のうち、前記操作部が操作されたか否かを判別し、当該判別された操作部を識別するための操作部識別情報を生成する生成手段、
各前記操作部に対応する前記操作部識別情報と、前記操作部における操作を説明するための説明情報を特定するための特定情報と、の対応関係を示してあらかじめ記憶されている対応情報に基づいて、前記生成された操作部識別情報に対応する前記特定情報を検索する検索手段、および、
前記説明情報と、当該説明情報を特定するための前記特定情報と、の対を、前記操作部の数だけ記録している記録媒体から、前記検索された特定情報に対応する前記説明情報を検出して出力する出力手段、
として機能させることを特徴とする操作説明用プログラム。
【請求項１２】
請求項１１に記載の操作説明用プログラムにおいて、
前記説明情報は音を用いて前記操作を説明する音説明情報であると共に、
前記出力手段として機能する前記コンピュータを、前記検索された特定情報に対応する前記音説明情報を前記記録媒体から検出して放音するように機能させることを特徴とする操作説明用プログラム。
【請求項１３】
請求項１１または１２に記載の操作説明用プログラムにおいて、
前記説明情報は画像を用いて前記操作を説明する画像説明情報であると共に、
前記出力手段として機能する前記コンピュータを、前記検索された特定情報に対応する前記画像説明情報を前記記録媒体から検出して表示するように機能させることを特徴とする操作説明用プログラム。
【請求項１４】
請求項１１から１３のいずれか一項に記載の操作説明用プログラムが、前記コンピュータにより読取可能に記録されていることを特徴とする情報記録媒体。
【発明の詳細な説明】
【０００１】
【発明の属する技術分野】
本発明は、各種装置の操作説明を提供する操作説明装置、操作説明方法、操作説明用プログラムおよび操作説明用プログラムが記録された情報記録媒体に関する。
【０００２】
【従来の技術】
従来、各種装置の操作について、使用者は装置に添付などされている「取扱説明書」で調べていた。さらに、装置本体に記憶部を設けて、この記憶部に音声ガイドとして操作の説明を記憶させ、音声によって説明する方法もあった。
【０００３】
また、ＣＤ−ＲＯＭやビデオテープなどのような記録媒体に記録させた音声や画像による取扱説明などがあった。
【０００４】
【発明が解決しようとする課題】
しかしながら、装置に添付されている「取扱説明書」は文章で説明されているため、わかりづらいという問題点があった。
【０００５】
また、装置本体の記憶部に操作の説明を記憶させた場合は、操作方法や操作ボタンの数が多い場合などには、大量の記憶領域を必要とし、装置の価格が高価になってしまうという問題点があった。
【０００６】
さらに、この装置本体の記憶部から操作説明を読み出す方法を「取扱説明書」などに掲載することになり、結局文章による説明になってしまっていた。
【０００７】
ＣＤ−ＲＯＭやビデオテープなどのような記録媒体に操作説明を記録させる方法では、使用者の疑問点についての操作説明が記録している箇所を探すため、使用者は記録媒体を全て通して再生させるしかないなど、非常に手間がかかった。
【０００８】
そこで、本発明は上記の各問題点を鑑みて為されたもので、簡易な操作で必要十分な操作部の説明を行うことを可能にする操作説明装置、操作説明方法並びに操作説明用プログラムおよび操作説明用プログラムが記録された情報記録媒体を提供することにある。
【０００９】
【課題を解決するための手段】
上記の課題を解決するために、請求項１に記載の発明は、一または複数の操作ボタンなどの操作部における操作を説明するための説明情報と、当該説明情報を特定するための特定情報と、の対が、記録されている記録媒体が装填される装填部などの装填手段と、前記操作部を識別するための操作部識別情報と、前記特定情報と、の対応関係を示す対応情報を記憶するメモリなどの記憶手段と、前記操作部が操作されたか否かを判別し、当該判別された操作部を示す前記操作部識別情報を生成する生成部などの生成手段と、前記記憶されている対応情報に基づいて、前記生成された操作部識別情報に対応する前記特定情報を検索する制御部などによって構成された検索手段と、前記検索された特定情報に対応する前記説明情報を前記記録媒体から検出して出力するスピーカや表示部などの出力手段と、を備える。
【００１０】
よって、説明が必要とされる操作部を特定し、当該特定した操作部における操作に対応する説明情報のみを記録媒体から再生して出力するので、説明が所望される操作部に対応する説明のみを、その操作部に対応付けて認識することができると共に、使用者の操作に則して必要な操作部の説明を行うことができる。
【００１１】
上記の課題を解決するために、請求項２に記載の発明は、請求項１に記載の操作説明装置において、前記説明情報は音を用いて前記操作を説明する音説明情報であると共に、前記出力手段は、前記検索された特定情報に対応する前記音説明情報を前記記録媒体から検出して放音するように構成される。
【００１２】
よって、説明情報が音を用いて操作を説明する音説明情報であるので、簡易に必要な説明を行うことができる。
【００１３】
上記の課題を解決するために、請求項３に記載の発明は、請求項１または２に記載の操作説明装置において、前記説明情報は画像を用いて前記操作を説明する画像説明情報であると共に、前記出力手段は、前記検索された特定情報に対応する前記画像説明情報を前記記録媒体から検出して表示するように構成される。
【００１４】
よって、説明情報が画像を用いて操作を説明する画像説明情報であるので、簡易に且つわかりやすく必要な説明を行うことができる。
【００１５】
上記の課題を解決するために、請求項４に記載の発明は、請求項１から３のいずれか一項に記載の操作説明装置に装填される記録媒体であって、前記説明情報と、前記特定情報と、の対が、前記操作部の数だけ記録されている説明情報記録領域を備える。
【００１６】
よって、説明情報と、当該説明情報を特定するための特定情報と、の対が少なくとも操作部の数だけ記録されているので、操作の説明が必要な操作部に対応する説明情報のみを特定情報を手掛かりに検索して再生・出力することにより、説明が所望される操作部に対応する説明のみを、その操作部に対応付けて認識することができると共に、使用者の操作に則して必要な操作部の説明を行うことができる。
【００１７】
上記の課題を解決するために、請求項５に記載の発明は、請求項１から４のいずれか一項に記載の操作説明装置において、前記記録媒体は前記説明情報と前記特定情報との対が記録されていることを特定する特定領域を有し、前記記録媒体が前記装填手段に装填されると、前記特定領域を読み取って、前記記録媒体が前記説明情報と前記特定情報との対が記録されている記録媒体であるか否かを判定する判定手段を備えることを特徴とする。
【００１８】
よって、装填された記録媒体が操作説明用の記録媒体であるか否かを判定する情報を記録する特定情報を有することにより、通常の再生動作を変更することなく、効率的に操作説明用の記録媒体であるか否かを自動で判定することができる。
【００１９】
上記の課題を解決するために、請求項６に記載の発明は、請求項１から５のいずれか一項に記載の操作説明装置において、操作説明を終了する際に操作される取り出しボタンや電源ボタンなどの終了操作部をさらに備え、前記説明情報の出力中において、前記終了操作部が操作されたとき、当該説明情報の出力を停止する停止手段を備えることを特徴とする。
【００２０】
よって、操作説明処理を終了するための取り出しボタンや電源ボタンなどの終了操作部によって、使用者が操作説明処理を終了したいときにいつでも終了することが可能になる。
【００２１】
上記の課題を解決するために、請求項７に記載の発明は、請求項１から６のいずれか一項に記載の操作説明装置において、前記説明情報の出力が開始されるときに、スピーカや表示部などの前記出力手段における音量や輝度などの出力レベルをあらかじめ設定した出力レベル以上に設定する設定手段を備えることを特徴とする。
【００２２】
よって、使用者に操作説明処理を確実に行うことが可能になり、また、使用者による出力レベル操作の簡略が可能になる。
【００２３】
上記の課題を解決するために、請求項８に記載の発明は、一または複数の操作ボタンなどの操作部のうち、前記操作部が操作されたか否かを判別し、当該判別された操作部を識別するための操作部識別情報を生成する生成工程と、各前記操作部に対応する前記操作部識別情報と、前記操作部における操作を説明するための説明情報を特定するための特定情報と、の対応関係を示してあらかじめメモリなどに記憶されている対応情報に基づいて、前記生成された操作部識別情報に対応する前記特定情報を制御部などによる検索する検索工程と、前記説明情報と、当該説明情報を特定するための前記特定情報と、の対を、前記操作部の数だけ記録している記録媒体から、前記検索された特定情報に対応する前記説明情報を検出してスピーカや表示部などで出力する出力工程と、を備える。
【００２４】
よって、説明が必要とされる操作部を特定し、当該特定した操作部における操作に対応する説明情報のみを記録媒体から再生して出力するので、説明が所望される操作部に対応する説明のみを、その操作部に対応付けて認識することができると共に、使用者の操作に則して必要な操作部の説明を行うことができる。
【００２５】
上記の課題を解決するために、請求項９に記載の発明は、請求項８に記載の操作説明方法において、前記説明情報は音を用いて操作を説明する音説明情報であると共に、前記出力工程においては、検索された特定情報に対応する音説明情報を記録媒体から検出して放音するように構成する。
【００２６】
よって、説明情報が音を用いて操作を説明する音説明情報であるので、簡易に必要な説明を行うことができる。
【００２７】
上記の課題を解決するために、請求項１０に記載の発明は、請求項８または９に記載の操作説明方法において、前記説明情報は画像を用いて操作を説明する画像説明情報であると共に、前記出力工程においては、検索された特定情報に対応する画像説明情報を記録媒体から検出して表示するように構成する。
【００２８】
よって、説明情報が画像を用いて操作を説明する画像説明情報であるので、簡易に且つわかりやすく当該必要な説明を行うことができる。
【００２９】
上記の課題を解決するために、請求項１１に記載の発明は、操作部において実行されるべき操作を説明する操作説明装置に含まれるコンピュータを、一または複数の操作ボタンなどの操作部のうち、説明が所望される操作部が操作されたか否かを判別し、当該判別された操作部を識別するための操作部識別情報を生成する生成部などの生成手段、各操作部に対応する操作部識別情報と、操作部における操作を説明するための説明情報を特定するための特定情報と、の対応関係を示してあらかじめ記憶されている対応情報に基づいて、前記生成された操作部識別情報に対応する特定情報を検索する制御部などによる検索手段、および、説明情報と、当該説明情報を特定するための特定情報と、の対を、操作部の数だけ記録している記録媒体から、前記検索された特定情報に対応する説明情報を検出して出力する出力手段として機能させる。
【００３０】
よって、説明が必要とされる操作部を特定し、当該特定した操作部における操作に対応する説明情報のみを記録媒体から再生して出力するようにコンピュータが機能するので、説明が所望される操作部に対応する説明のみを、その操作部に対応付けて認識することができると共に、使用者の操作に則して必要な操作部の説明を行うことができる。
【００３１】
上記の課題を解決するために、請求項１２に記載の発明は、請求項１１に記載の操作説明用プログラムにおいて、前記説明情報は音を用いて操作を説明する音説明情報であると共に、前記出力手段として機能する前記コンピュータを、検索された特定情報に対応する音説明情報を記録媒体から検出して放音するように機能させる。
【００３２】
よって、説明情報が音を用いて操作を説明する音説明情報であるので、簡易に必要な説明を行うことができる。
【００３３】
上記の課題を解決するために、請求項１３に記載の発明は、請求項１１または１２に記載の操作説明用プログラムにおいて、前記説明情報は画像を用いて操作を説明する画像説明情報であると共に、前記出力手段として機能する前記コンピュータを、検索された特定情報に対応する画像説明情報を記録媒体から検出して表示するように機能させる。
【００３４】
よって、説明情報が画像を用いて操作を説明する画像説明情報であるので、簡易に且つわかりやすく当該必要な説明を行うことができる。
【００３５】
上記の課題を解決するために、請求項１４に記載の発明は、請求項１１から１３のいずれか一項に記載の操作説明用プログラムが、前記コンピュータにより読取可能に記録されていることを特徴とする。
【００３６】
よって、請求項１１に記載の操作説明用プログラムが記録されている場合には、これをコンピュータにより読み出して実行することにより、説明が必要とされる操作部を特定し、当該特定した操作部における操作に対応する説明情報のみを記録媒体から再生して出力するように当該コンピュータが機能するので、説明が所望される操作部に対応する説明のみを、その操作部に対応付けて認識することができると共に、使用者の操作に則して必要な操作部の説明を行うことができる。
【００３７】
また、請求項１２に記載の操作説明用プログラムが記録されている場合には、これをコンピュータにより読み出して実行することにより、説明情報が音を用いて操作を説明する音説明情報であるので、簡易に必要な説明を行うことができる。
【００３８】
さらに、請求項１３に記載の操作説明用プログラムが記録されている場合には、これをコンピュータにより読み出して実行することにより、説明情報が画像を用いて操作を説明する画像説明情報であるので、簡易に且つわかりやすく当該必要な説明を行うことができる。
【００３９】
【発明の実施の形態】
本発明に好適な実施の形態を図面に基づいて説明する。
【００４０】
なお、以下に説明する実施の形態は、プレーヤに対して本発明を適用した場合の実施の形態である。
【００４１】
図１は本発明の実施の形態による概要構成を示すブロック図である。
【００４２】
プレーヤ１００は、操作ボード１０１、装填部１０２、生成部１０３、メモリ１０４、制御部１０５、スピーカ１０６、復号部１０７および表示部１０９により構成されている。
【００４３】
操作ボード１０１は、停止ボタンや再生ボタンや音量ボタンなど、プレーヤ１００を操作するための通常複数の操作ボタン１０８を有する。
【００４４】
生成部１０３は、いずれか一つの操作ボタン１０８が操作されると、操作された操作ボタン１０８を判別して当該操作された操作ボタン１０８を識別するための操作部識別情報Ｉｃｎを生成する。
【００４５】
装填部１０２は光ディスクなどの記録媒体ＤＫを装填し動作させるためのものである。
【００４６】
記録媒体ＤＫには、通常、楽曲等が、記録されているが、本発明における記録媒体ＤＫには図２に示す如く、ディスク対応情報としてそれぞれの操作ボタン１０８についての説明情報Ｉａｎと、当該説明情報Ｉａｎを特定するための特定情報Ｉｎｎとの対のみが、操作ボタン１０８の数だけ記録されている。
【００４７】
メモリ１０４には、図３に示す如く、操作部識別情報Ｉｃｎと、記録媒体ＤＫに記録した特定情報Ｉｎｎとの対応関係を示すメモリ対応情報があらかじめ記憶してある。
【００４８】
制御部１０５は、前記メモリ１０４に記憶しているメモリ対応情報に基づいて、生成した操作部識別情報Ｉｃｎに対応する特定情報Ｉｎｎを検索し、記録媒体ＤＫから特定情報Ｉｎｎに対応する説明情報Ｉａｎを検出して復号部１０７へ送信する。
【００４９】
復号部１０７は記録媒体ＤＫから検出した説明情報Ｉａｎを複合化してスピーカ１０６へ送信し、スピーカ１０６で当該説明情報Ｉａｎを出力する。
【００５０】
一方、通常の楽曲が記録された記録媒体ＤＫの場合は、通常の再生動作を行う。具体的には、制御部１０５は、操作ボード１０１において実行された選択操作に対応する曲を検出して復号部１０７へ送信し、復号部１０７で複合化した後、スピーカ１０６で当該曲を出力し、通常の映像が記録された記録媒体ＤＫの場合にも、同様の動作で、表示部１０９で当該映像を出力する。
【００５１】
次に本発明における動作について説明する。
【００５２】
図４は本発明の実施の形態による動作の全体を示すフローチャートである。
【００５３】
まず、記録媒体ＤＫを装填部１０２に装填する（ステップＳ１）。
【００５４】
次に、記録媒体ＤＫの読み出しを開始する（ステップＳ２）。
【００５５】
そして、装填された記録媒体ＤＫが操作説明用の記録媒体ＤＫであるか否かを判定する（ステップＳ３）。
【００５６】
ここで、ＣＤプレーヤなど通常のプレーヤの場合、記録媒体ＤＫが装填されると、自動的に記録媒体ＤＫのＴＯＣ（Ｔａｂｌｅ　Ｏｆ　Ｃｏｎｔｅｎｔｓ）情報を自動的に読み取る。その他の媒体を扱うプレーヤでも、その媒体を管理するディスク管理情報が記録されている特定領域を読み取る動作を行う。そこで、記録媒体ＤＫの特定領域に、操作説明用の記録媒体ＤＫであることを判定可能な情報を記録しておくことで、通常のプレーヤの動作を変更することなく、また効率的に操作説明用の記録媒体であることが判定可能である。
【００５７】
また、この例では特定領域を装填に応答して最初に自動的に読み取るとしたが、なんらかの操作に応答して最初に自動的に読み取る領域であってもよい。さらに、所定のボタンを押すなどの動作で、操作説明用の記録媒体であることを判別してもよい。なお、このステップＳ３の処理は、制御部１０５による判定手段としての制御に基づいて実行される。
【００５８】
操作説明用の記録媒体でない場合には（ステップＳ３：Ｎ）、通常の楽曲などが記録された記録媒体であるとして、通常の再生動作を行う（ステップＳ４）。
【００５９】
操作説明用の記録媒体である場合には（ステップＳ３：Ｙ）、操作説明処理を開始する。
【００６０】
この場合、まず操作説明処理が開始されたことをスピーカ１０６から「これより操作の説明を開始します。説明を希望する操作ボタンを押してください。」等の誘導メッセージを音声によって使用者に伝えて、説明を希望する操作ボタン１０８を選択することを誘導する（ステップＳ５）。
【００６１】
ここで、誘導メッセージはプレーヤ１００に設けた表示部１０９、または外部に設けた表示部に、映像として表示してもよい。
【００６２】
そして、誘導メッセージが終了したか否かを判定し（ステップＳ６）、誘導メッセージが終了したら（ステップＳ６：Ｙ）、操作ボタン１０８が選択されるまで、動作を一時停止する（ステップＳ７）。
【００６３】
もし、使用者が誘導メッセージを終了していないうちにいずれかの操作ボタン１０８を押して、ステップＳ８の操作ボタン選択を行った場合には、誘導メッセージは不要であると判断して、操作説明動作（ステップＳ９）へ移行する（ステップＳ６：Ｎ）。
【００６４】
一方、一時停止（ステップＳ７）中においては、操作ボタン１０８が選択されたか否かを判定し（ステップＳ８）、選択された場合には（ステップＳ８：Ｙ）、選択された操作ボタン１０８に対応する説明情報Ｉａｎを記録媒体ＤＫから検出してスピーカ１０６または表示部１０９より出力する（ステップＳ９）。このステップＳ９の動作は後に詳述する。
【００６５】
操作ボタン１０８が選択されていない場合には（ステップＳ８：Ｎ）、ステップＳ６へ移行して、誘導メッセージが終了した後（ステップＳ６：Ｙ）操作ボタン１０８が選択されるまで一時停止する。
【００６６】
その後、選択された操作ボタン１０８が記録媒体ＤＫを装填部１０２から取り出すための取り出しボタンであるか否かを判定し（ステップＳ１０）、取り出しボタンでない場合には（ステップＳ１０：Ｎ）、ステップＳ６に移行して上述した処理を繰り返し、取り出しボタンである場合には（ステップＳ１０：Ｙ）、記録媒体ＤＫの読み出しを停止する（ステップＳ１１）。ここで、ステップＳ１１は制御部１０５を停止手段として制御させて、実行する。
【００６７】
そして、前記取り出しボタンから記録媒体ＤＫを取り出して操作説明処理を終了する。
【００６８】
次にステップＳ９の動作について図５の操作説明動作フローチャートに基づいて詳述する。
【００６９】
まず、操作ボタン１０８が選択されると、いずれの操作ボタン１０８が操作されたかを判別し（ステップＳ２１）、当該判別された操作ボタンに対応する操作部識別情報Ｉｃｎを生成部１０３にて生成する（ステップＳ２２）。
【００７０】
そして、制御部１０５にてメモリ１０４に記憶されているメモリ対応情報に基づき、生成された操作部識別情報Ｉｃｎに対応する特定情報Ｉｎｎを検索する（ステップＳ２３）。
【００７１】
検索された特定情報Ｉｎｎに対応する説明情報Ｉａｎを記録媒体ＤＫ内のディスク対応情報から検出して（ステップＳ２４）、スピーカ１０６より出力する（ステップＳ２５）。
【００７２】
以上説明したように、本実施の形態によれば、説明が必要とされる操作ボタン１０８を特定し、当該特定した操作ボタン１０８における操作に対応する説明情報のみを記録媒体ＤＫから再生して出力するので、説明が所望される操作ボタン１０８に対応する説明のみを、その操作ボタン１０８に対応付けて認識することができると共に、使用者の操作に則して必要な操作ボタン１０８の説明を行うことができる。
【００７３】
また、説明情報Ｉａｎが音を用いている場合には、スピーカ１０６から音声で操作を説明するので、簡易に必要な説明を行うことができ、視覚障害者であっても容易に操作することが可能になる。また、説明情報Ｉａｎが画像を用いている場合には、表示部１０９から画像や映像で操作を説明するので、簡易に必要な説明を行うことができ、聾唖者であっても容易に操作することが可能になる。
【００７４】
また、操作ボード１０１はプレーヤ本体に具備されたものに限られず、リモートコントローラでもよく、操作ボタン１０８はリモートコントローラのそれぞれの操作ボタンであってもよい。
【００７５】
なお、上述の実施の形態においては、装填された記録媒体ＤＫが操作説明用の記録媒体であることを判別するにあたり、特定領域のディスク管理情報を利用していたが、操作説明用の記録媒体を装填した後、所定の操作ボタンを使用者が選択するなど所定の操作を行うことで、操作説明用の記録媒体を装填したことを認識させてもよい。また、この場合、使用者が操作説明を所望する意思が現れているので、記録媒体ＤＫの装填後（ステップＳ１）、ステップＳ９の操作説明動作に移行すればよい。
【００７６】
上述の実施の形態では、終了操作部としての取り出しボタンが操作されると操作説明処理を終了する構成としている。これはプレーヤに設けられたすべての操作ボタンに対して説明情報を割り当ててしまうと、操作説明を終了する操作が行えなくなるためである。ここで、この操作説明処理を終了させる終了操作部は取り出しボタンには限定されず、操作説明の必要が少ないボタンや、使用者に直感で動作の終了を示すような操作ボタンを使用すればよい。例えば、電源ＯＮ／ＯＦＦボタン、再生などを停止するストップボタンがあげられる。さらに、操作説明処理を終了するための専用の操作ボタンを設けることも可能である。また、操作説明処理に入ってから所定の時間が経過しても操作ボタンの操作が行われない場合など、操作説明処理を終了してもよい。これら操作説明処理を終了するときに、音声や表示などを用いて操作説明処理を終了することを使用者に告知するようにしてもよい。
【００７７】
また、上述の実施の形態では、プレーヤを取り上げて説明したが、本発明を適用する対象はその他のものであってもよい。例えば、ディスク、カセットテープ、メモリ媒体などの記録媒体を再生可能なプレーヤと、音声を出力するスピーカ、または画像や映像を表示する表示部を備えたものであればよい。具体的にはＣＤプレーヤ、ＤＶＤプレーヤ、またはメモリ媒体プレーヤなどを備えるステレオ装置やＤＶＤプレーヤを備えるテレビモニタ、パーソナルコンピュータなどでもよい。
【００７８】
また、上述の実施の形態では、音声や画像をもって説明情報を使用者に伝えたが、説明開始時に音声のボリュームが０またはかなり小さいレベルになっている場合や、表示部の輝度が視覚認識が困難なほど低下していることも考えられる。その場合には、操作説明用の記録媒体が挿入されたことを判別したときや、操作説明処理に入るときに音声出力のボリュームをあらかじめ設定した音量以上に自動的にコントロールしたり、表示部の輝度をあらかじめ設定した視覚認識が可能なレベルまで上げるなど、制御部が設定手段として制御してもよい。この制御により使用者に操作説明処理を確実に行うことが可能であり、また使用者の操作の簡略化が図れる。
【００７９】
なお、図４および図５のフローチャートに対応するプログラムまたは上述の変形例に対応するプログラムを、フレキシブルディスクにあらかじめ格納しておき、またはインターネットなどのネットワークを介して当該フレキシブルディスクに格納しておき、これら格納されたプログラムを制御部１０５によって読み出すことによって操作説明処理を実行するようにしてもよい。
【００８０】
【発明の効果】
以上説明したように、請求項１に記載の発明によれば、説明が必要とされる操作部を特定し、当該特定した操作部における操作に対応する説明情報のみを記録媒体から再生して出力するので、説明が所望される操作部に対応する説明のみを、その操作部に対応付けて認識することができると共に、使用者の操作に則して必要な操作部の説明を行うことができる。
【００８１】
請求項２に記載の発明によれば、請求項１に記載の発明の効果に加えて、説明情報が音を用いて操作を説明する音説明情報であるので、簡易に必要な説明を行うことができ、視覚障害者であっても容易に操作することが可能になる。
【００８２】
請求項３に記載の発明によれば、請求項１または２に記載の発明の効果に加えて、説明情報が画像を用いて操作を説明する画像説明情報であるので、簡易に且つわかりやすく必要な説明を行うことができ、聾唖者であっても容易に操作することが可能になる。
【００８３】
請求項４に記載の発明によれば、請求項１から３のいずれか一項に記載の発明の効果に加えて、説明情報と、当該説明情報を特定するための特定情報と、の対が操作部の数だけ記録されているので、操作の説明が必要な操作部に対応する説明情報のみを特定情報を手掛かりに検索して再生・出力することにより、説明が所望される操作部に対応する説明のみを、その操作部に対応付けて認識することができると共に、使用者の操作に則して必要な操作部の説明を行うことができる。
【００８４】
請求項５に記載の発明によれば、装填された記録媒体が操作説明用の記録媒体であるか否かを特定する情報を記録する特定情報を有して、装填された記録媒体が操作説明用の記録媒体であるか否かを判定する判定手段を備えるので、通常の再生動作を変更することなく、効率的に操作説明用の記録媒体であるか否かを自動で判定できる。
【００８５】
請求項６に記載の発明によれば、記録媒体を装填部から取り出し、操作説明処理を終了するための操作ボタンや再生を停止する停止ボタンなどの終了操作部を有するので、使用者が操作説明処理を終了したいときにいつでも記録媒体を取り出して、操作説明を終了することが可能になる。
【００８６】
請求項７に記載の発明によれば、使用者に操作説明処理を確実に行うことが可能になり、また、使用者による出力レベルの操作の簡略が可能になる。
【００８７】
請求項８に記載の発明によれば、説明が必要とされる操作部を特定し、当該特定した操作部における操作に対応する説明情報のみを記録媒体から再生して出力するので、説明が所望される操作部に対応する説明のみを、その操作部に対応付けて認識することができると共に、使用者の操作に則して必要な操作部の説明を行うことができる。
【００８８】
請求項９に記載の発明によれば、請求項８に記載の発明の効果に加えて、説明情報が音を用いて操作を説明する音説明情報であるので、簡易に必要な説明を行うことができ、視覚障害者であっても容易に操作することが可能になる。
【００８９】
請求項１０に記載の発明によれば、請求項８または９に記載の発明の効果に加えて、説明情報が画像を用いて操作を説明する画像説明情報であるので、簡易に且つわかりやすく当該必要な説明を行うことができ、聾唖者であっても容易に操作することが可能になる。
【００９０】
請求項１１に記載の発明によれば、説明が必要とされる操作部を特定し、当該特定した操作部における操作に対応する説明情報のみを記録媒体から再生して出力するようにコンピュータが機能するので、説明が所望される操作部に対応する説明のみを、その操作部に対応付けて認識することができると共に、使用者の操作に則して必要な操作部の説明を行うことができる。
【００９１】
請求項１２に記載の発明によれば、請求項１１に記載の発明の効果に加えて、説明情報が音を用いて操作を説明する音説明情報であるので、簡易に必要な説明を行うことができ、視覚障害者であっても容易に操作が可能になる。
【００９２】
請求項１３に記載の発明によれば、請求項１１または１２に記載の発明の効果に加えて、説明情報が画像を用いて操作を説明する画像説明情報であるので、簡易に且つわかりやすく当該必要な説明を行うことができ、聾唖者であっても容易に操作することが可能になる。
【００９３】
請求項１４に記載の発明によれば、請求項１１に記載の操作説明用プログラムが記録されている場合には、これをコンピュータにより読み出して実行することにより、説明が必要とされる操作部を特定し、当該特定した操作部における操作に対応する説明情報のみを記録媒体から再生して出力するようにコンピュータが機能するので、説明が所望される操作部に対応する説明のみを、その操作部に対応付けて認識することができると共に、使用者の操作に則して必要な操作部の説明を行うことができる。
【００９４】
また、請求項１２に記載の操作説明用プログラムが記録されている場合には、これをコンピュータにより読み出して実行することにより、説明情報が音を用いて操作を説明する音説明情報であるので、簡易に必要な説明を行うことができ、視覚障害者であっても容易に操作が可能になる。
【００９５】
さらに、請求項１３に記載の操作説明用プログラムが記録されている場合には、これをコンピュータにより読み出して実行することにより、説明情報が画像を用いて操作を説明する画像説明情報であるので、簡易に且つわかりやすく当該必要な説明を行うことができ、聾唖者であっても容易に操作することが可能になる。
【図面の簡単な説明】
【図１】本発明の実施の形態による概要構成を示すブロック図
【図２】ディスク対応情報を示す説明図
【図３】メモリ対応情報を示す説明図
【図４】本発明の実施の形態による動作の全体を示すフローチャート
【図５】操作説明動作フローチャート
【符号の説明】
１００　プレーヤ
１０１　操作ボード
１０２　装填部
１０３　生成部
１０４　メモリ
１０５　制御部
１０６　スピーカ
１０７　復号部
１０８　操作ボタン
１０９　表示部
ＤＫ　記録媒体
Ｉａｎ説明情報
Ｉｎｎ特定情報
Ｉｃｎ操作部識別情報
【図１】
2004013571.tif 000003
【図２】
2004013571.tif 000004
【図３】
2004013571.tif 000005
【図４】
2004013571.tif 000006
【図５】
2004013571.tif 000007